【手続補正書】
【提出日】令和2年6月23日(2020.6.23)
【手続補正１】
【補正対象書類名】明細書
【補正対象項目名】００１１
【補正方法】変更
【補正の内容】
【００１１】
１つの態様によれば、本発明は、第１又は第２の部類の人間の生体認証のためのコンピュータ・システムにより実行される方法に関わる。そこにおいて、コンピュータ・システムは、データベースを備え、データベースは、第１の部類の第１の人間の記憶される一意的な識別子及び指紋データ、並びに、第２の部類の第２の人間の記憶される一意的な識別子及び指紋データを備える。第１の人間の一意的な識別子を、コンピュータのユーザ・インターフェイスにおいて受信するステップと、第２の人間の一意的な識別子を、コンピュータのユーザ・インターフェイスにおいて受信するステップと、第１の指紋データを、コンピュータの指紋リーダにおいて取得するステップとを含む方法。第１の指紋データは第１の人間のものであるとされており、第２の指紋データを、コンピュータの指紋リーダにおいて取得する。第２の指紋データは第２の人間のものであるとされており、第１の指紋データの取得することが、第２の指紋データの取得することから、第１の所定の時間間隔の中で遂行されるならば、取得された第１の指紋データを、第１の人間の記憶される指紋データと比較し、取得された第２の指紋データを、第２の人間の記憶される指紋データと比較し、第１の人間の記憶される指紋データと比較される第１の指紋データ、及び、第２の人間の記憶される指紋データと比較される第２の指紋データの両方に対して、一致が確認されるときに、肯定的指示を、コンピュータのユーザ・インターフェイス上で提供する。
【手続補正２】
【補正対象書類名】明細書
【補正対象項目名】００２５
【補正方法】変更
【補正の内容】
【００２５】
肯定的又は否定的指示を、ユーザの記憶される他の個人データと関連して、並びに、場合によってはさらに、比較することの時間及び日付と関連して記憶することは、コンピュータ・システムの所有者に、例えば、事象の成り行きに関して再確認する、又は統計的分析を行う、プロセスにおける後程の可能性を提供することになる。
【手続補正３】
【補正対象書類名】特許請求の範囲
【補正対象項目名】全文
【補正方法】変更
【補正の内容】
【特許請求の範囲】
【請求項１】
第１（２）又は第２の部類（３）の人間の生体認証のためのコンピュータ・システム（１）により実行される方法であって、前記コンピュータ・システム（１）は、データベースを備え、該データベースは、前記第１の部類（２）の第１の人間（６）の記憶される一意的な識別子（４）及び指紋データ（５）、並びに、前記第２の部類（３）の第２の人間（９）の記憶される一意的な識別子（７）及び指紋データ（８）を備え、前記方法は、
前記第１の人間（６）の前記一意的な識別子（４）を、コンピュータ（１１）のユーザ・インターフェイス（１０）において受信するステップと、
前記第２の人間（９）の前記一意的な識別子（７）を、前記コンピュータ（１１）の前記ユーザ・インターフェイス（１０）において受信するステップと、
第１の指紋データ（１２）を、前記コンピュータ（１１）の指紋リーダ（１３）において取得するステップであって、前記第１の指紋データ（１２）は、前記第１の人間（６）のものであるとされている、取得するステップと、
第２の指紋データ（１４）を、前記コンピュータ（１１）の前記指紋リーダ（１３）において取得するステップであって、前記第２の指紋データ（１４）は、前記第２の人間（９）のものであるとされている、取得するステップと、
前記第１の指紋データ（１２）を取得する前記ステップが、前記第２の指紋データ（１４）を取得する前記ステップから、第１の所定の時間間隔（１７）の中で遂行される場合、
取得された前記第１の指紋データ（１２）を、前記第１の人間（６）の記憶される前記指紋データ（５）と比較するステップと、
取得された前記第２の指紋データ（１４）を、前記第２の人間（９）の記憶される前記指紋データ（８）と比較するステップと、
前記第１の人間（６）の記憶される前記指紋データ（５）と比較される前記第１の指紋データ（１２）、及び、前記第２の人間（９）の記憶される前記指紋データ（８）と比較される前記第２の指紋データ（１４）の両方に対して、一致が確認されるときに、肯定的指示（１５）を、前記コンピュータ（１１）の前記ユーザ・インターフェイス（１０）上で提供するステップと
を含む、方法。
【請求項２】
前記第１の人間（６）の記憶される前記指紋データ（５）と比較される前記第１の指紋データ（１２）に対する、確認された一致に応答して、前記方法は、
確認された前記第１の人間（６）の画像（１６）を、前記一致が確認された後の第２の所定の時間間隔（１８）の中で捕捉するステップと、
捕捉された前記画像（１６）を、前記第１の人間（６）の記憶される前記一意的な識別子（４）、及び、記憶される指紋データ（５）と関連して、並びに、場合によってはさらに、捕捉する前記ステップの時間（１９）及び日付（２０）と関連して記憶するステップと
を含む、請求項１に記載の方法。
【請求項３】
前記第１の人間（６）の記憶される前記指紋データ（５）と比較される前記第１の指紋データ（１２）、及び、前記第２の人間（９）の記憶される前記指紋データ（８）と比較される前記第２の指紋データ（１４）の両方に対する、確認された一致に応答して、前記方法は、
前記コンピュータ・システム（１）に通信可能に接続されるデバイス（２１）を、ロック解除及び／又はロックすることを、
前記デバイス（２１）にロック解除信号（２２）を送出すること
により行うステップ
を含む、請求項１又は２に記載の方法。
【請求項４】
前記第１の部類（２）の前記第１の人間（６）の記憶される一意的な識別子（４）及び指紋データ（５）への前記コンピュータ・システムのアクセスを達成するために、前記方法は、
前記第１の人間（６）の一意的な識別子（４）を追加するための指示を、前記コンピュータ（１１）の前記ユーザ・インターフェイス（１０）において受信するステップと、
前記第１の人間（６）の前記一意的な識別子（４）を、前記コンピュータ（１１）の前記ユーザ・インターフェイス（１０）において受信するステップと、
前記第１の人間（６）の前記一意的な識別子（４）を記憶するステップと、
前記第１の人間（６）の指紋データ（５）を追加するための指示を、前記コンピュータ（１１）の前記ユーザ・インターフェイス（１０）において受信するステップと、
前記第１の人間（６）の前記指紋データ（５）を、前記コンピュータ（１１）の前記指紋リーダ（１３）において取得するステップと、
前記第１の人間（６）の前記指紋データ（５）を、前記第１の人間（６）の記憶される前記一意的な識別子（４）と関連して、並びに、場合によってはさらに、取得する前記ステップの時間（１９）及び日付（２０）と関連して記憶するステップと
を含む、請求項１から３までのいずれかに記載の方法。
【請求項５】
前記第２の部類（３）の前記第２の人間（９）の記憶される一意的な識別子（７）及び指紋データ（８）への前記コンピュータ・システムのアクセスを達成するために、前記方法は、
前記第２の人間（９）の一意的な識別子（７）を追加するための指示を、前記コンピュータ（１１）の前記ユーザ・インターフェイス（１０）において受信するステップと、
前記第２の人間（９）の前記一意的な識別子（７）を、前記コンピュータ（１１）の前記ユーザ・インターフェイス（１０）において受信するステップと、
前記第２の人間（９）の前記一意的な識別子（７）を記憶するステップと、
前記第２の人間（９）の指紋データ（８）を追加するための指示を、前記コンピュータ（１１）の前記ユーザ・インターフェイス（１０）において受信するステップと、
前記第２の人間（９）の前記指紋データ（８）を、前記コンピュータ（１１）の前記指紋リーダ（１３）において取得するステップと、
前記第２の人間（９）の前記指紋データ（８）を、前記第２の人間（９）の記憶される前記一意的な識別子（７）と関連して、並びに、場合によってはさらに、取得する前記ステップの時間（１９）及び日付（２０）と関連して記憶するステップと
を含む、請求項１から４までのいずれかに記載の方法。
【請求項６】
前記第１の人間（６）の記憶される前記指紋データ（５）と比較される前記第１の指紋データ（１２）、及び、前記第２の人間（９）の記憶される前記指紋データ（８）と比較される前記第２の指紋データ（１４）の任意のものに対して、一致が確認されないときに応答して、前記方法は、
否定的指示（２５）を、前記コンピュータ（１１）の前記ユーザ・インターフェイス（１０）上で提供するステップ
を含む、請求項１から５までのいずれかに記載の方法。
【請求項７】
前記肯定的指示（１５）又は前記否定的指示（２５）が提供されたときに、前記方法は、
前記肯定的指示（１５）又は前記否定的指示（２５）を、前記第１（６）及び前記第２の人間（９）の、記憶される前記一意的な識別子（４、７）、及び、記憶される前記指紋データ（５、８）と関連して、並びに、場合によってはさらに、比較する前記ステップの時間（１９）及び日付（２０）と関連して記憶するステップ
を含む、請求項１から６までのいずれかに記載の方法。
【請求項８】
第１（２）又は第２の部類（３）の人間の生体認証のためのコンピュータ・システム（１）であって、前記第１の部類（２）の第１の人間（６）の記憶される一意的な識別子（４）及び指紋データ（５）、並びに、前記第２の部類（３）の第２の人間（９）の記憶される一意的な識別子（７）及び指紋データ（８）へのアクセスを有し、
前記第１の人間（６）の前記一意的な識別子（４）を、コンピュータ（１１）のユーザ・インターフェイス（１０）において受信することと、
前記第２の人間（９）の前記一意的な識別子（７）を、前記コンピュータ（１１）の前記ユーザ・インターフェイス（１０）において受信することと、
第１の指紋データ（１２）を、前記コンピュータ（１１）の指紋リーダ（１３）において取得することであって、前記第１の指紋データ（１２）は、前記第１の人間（６）のものであるとされている、取得することと、
第２の指紋データ（１４）を、前記コンピュータ（１１）の前記指紋リーダ（１３）において取得することであって、前記第２の指紋データ（１４）は、前記第２の人間（９）のものであるとされている、取得することと、
前記第１の指紋データ（１２）を前記取得することが、前記第２の指紋データ（１４）を前記取得することから、第１の所定の時間間隔（１７）の中で遂行される場合、
取得された前記第１の指紋データ（１２）を、前記第１の人間（６）の記憶される前記指紋データ（５）と比較することと、
取得された前記第２の指紋データ（１４）を、前記第２の人間（９）の記憶される前記指紋データ（８）と比較することと、
前記第１の人間（６）の記憶される前記指紋データ（５）と比較される前記第１の指紋データ（１２）、及び、前記第２の人間（９）の記憶される前記指紋データ（８）と比較される前記第２の指紋データ（１４）の両方に対して、一致が確認されるときに、肯定的指示（１５）を、前記コンピュータ（１１）の前記ユーザ・インターフェイス（１０）上で提供することと
を行うように配置構成される、コンピュータ・システム（１）。
【請求項９】
請求項８に記載のコンピュータ・システム上で実行されるときに、前記コンピュータ・システムに、請求項１から７までのいずれかに記載の対応する方法を実行させる、コンピュータ可読コード手段を含むコンピュータ・プログラム。
【請求項１０】
請求項９に記載のコンピュータ・プログラムを記憶したコンピュータ可読媒体。